(57)【特許請求の範囲】
【請求項１】
中芯材が複数のファルカタ材の単板でなり、該中芯材の表裏面に化粧板を接着した合板からなることを特徴としたピアノの響板。
【請求項２】
請求項１記載のピアノの響板において、中芯材と化粧板の木理方向が略平行であることを特徴とするピアノの響板。
【発明の詳細な説明】
【０００１】
【発明の属する技術分野】
本発明は、ピアノの響板に関する。
【０００２】
【従来の技術】
ピアノの響板は、弦の振動を音に変換する役目を果たすもので、その材質、構造、支柱への取付構造等の良否がピアノの音質、音量等、言い換えれば音響特性を決定するものである。このため、従来の響板としては、アップライトピアノの場合、図３に示すように枠体に貼り込まれている。すなわち、同図において、１は板状に形成された響板で、その表面には図示しない弦の振動を響板１に伝達する長駒２および短駒３が接合されている。これらの長駒２と短駒３は、響板１の木理方向（矢印Ａ方向）に延在するように接合されている。一方、響板１の裏面側には、複数本の響棒４が響板１の木理方向に適宜な間隔をおいて接合されている。響棒４は、木理方向と直交する方向（矢印Ｂ方向）に長く延在し、弦の振動を木理方向と直交する方向に伝達する機能と、響板１の強度部材としての機能を有している。そして、このような響板１は枠体本体５に周縁部が貼り込まれ、中央部が表面側に緩やかに反るクラウンを付与されている。なお、６は大土台である。
【０００３】
このような響板の構造としては、主なものとして、図３〜図５に示す３つのタイプのものが一般的である。すなわち、図３に示す響板１は、スプルース材、エゾ松などの松材からなるむく材７ａ〜７ｊを幅方向に矧ぎ合わせて製作したものである（特公平２−７１３号公報、特公昭４４−２００６３号公報等）。図４（ａ）、（ｂ）に示す響板は、南洋材等を例えば３プライに積層して合板８（芯材）とし、この合板８の表裏面に化粧板９をそれぞれ接着して製作したものである。一方、図５に示す響板１は、単板の継ぎ矧ぎによって形成した芯材１０の表裏面に化粧板９をそれぞれ接着したものである（特開平７−２３０２７４号公報、実公昭６０−６８５９１号公報等）。
【０００４】
【発明が解決しようとする課題】
しかしながら、上記した従来の響板においては、いずれも以下に述べるように一長一短があった。すなわち、図３に示したスプルース、エゾ松などの良質なむく材を矧ぎ合わせて形成した響板は、音響的に優れた性質を有するが、高価である。
【０００５】
図４に示した合板８の芯材の表裏面に化粧板を貼って構成した積層合板製の響板や、図５に示した単板を矧ぎ合わせて芯材とし、表裏に化粧板を貼って構成した響板は、図３に示した響板に比べて外観を気にせず安価な材料を使用できるのでコスト的なメリットはあるものの、芯材や化粧板の材料選択如何で各材料固有の性質により音響特性が変わり、一定以上の音質的に優れた音響特性を得られる響板を安定して作ることは困難であった。
【０００６】
例えば、上記した特開平７−２３０２７４号公報に開示された響板のように、芯材としてラワン材を用い、その表裏面にシナ材からなる化粧板を接着して製作すると、市販の建材を用いることができるので、一層安価に製作することができるものの、所望の音響特性が得られなくなる。上記公報の実施例のようにシナ材の板厚を０．４〜０．６ｍｍとし、響板全体の厚さを５．５ｍｍとすると、その音響特性としては全く低いものとなる。これは、スプルース材などの松材に比べてこのように構成された合板製響板は弾性波伝播速度（ＥL ／γ）1/2 が小さく、内部損失ｔａｎδL が大きいことによる。ここで、ＥL は繊維方向（Ｌ方向）の動的ヤング率、γは密度である。
【０００７】
本発明は上記した従来の問題点を解決するためになされたもので、その目的とするところは、資源的に比較的豊富で安価に入手することが可能な木材をスプルース材の代替木材として用いることにより、音響特性の優れたピアノの響板を安定して提供することにある。
【０００８】
【課題を解決するための手段】
上記目的を達成するため本発明は、中芯材が複数のファルカタ材の単板でなり、該中芯材の表裏面に化粧板を接着した合板からなることを特徴とする。また、本発明は、中芯材と化粧板の木理方向が略平行であることを特徴とする。
【０００９】
本発明において、中芯材としてのファルカタ材は、パルプ用材として注目されている早成樹であり、資源的に比較的豊富で、安価にしかも入手し易い。また、その繊維方向の弾性波伝播速度と内部損失は、スプルース材の値に近く、響板の音響特性上からも何等問題がない。
また、本発明においては、中芯材と化粧板の木理方向が略平行であるため、むく材と同様な異方性をもち、弾性波伝播速度と内部損失がスプルース材と略同等な値となる。
【００１０】
【発明の実施の形態】
以下、本発明を図面に示す実施の形態に基づいて詳細に説明する。
図１は本発明に係るピアノの響板の一実施の形態を示す一部を破断した正面図、図２は同響板の断面図である。これらの図において、ピアノの響板２０は、ファルカタ材からなる中芯材２１の表裏面に化粧板２２を接着した合板で製作されている。中芯材２１は、ファルカタ材からなる複数枚の単板を長手方向においてフィンガージョイント２３により接合し、側面方向に矧ぎ合わせて製作される。中芯材２１の木理方向（矢印Ａ方向）は、単板の長手方向と一致している。
【００１１】
ファルカタ材は、ニューギニア、ニューブリテイン、マルタ諸島等に植栽されている南洋材の一種で、パルプの有用樹種として注目されており、比較的安価で入手が容易である。また、著しい早成樹であり、５〜６年の周期で伐採しては植えられる樹種であるから、伐採による弊害の心配も少なく、安定した供給が得られる資源といえる。さらに、ファルカタ材は音響的にも優れた特性を有し、スプルース材の代替材料として好適である。すなわち、響板材料としては、繊維方向（Ｌ方向）の弾性波伝播速度（ＥL ／γ）1/2 、内部損失ｔａｎδL が重要な意味をもつが、ファルカタ材の弾性波伝播速度（ＥL ／γ）1/2 および内部損失ｔａｎδL は、表１に示すようにラワン材に比べて遥かにスプルース材に近い。
【００１２】
【表１】
0004055962.tif 000002
【００１３】
化粧板２２としては、スプルース材、えぞ松等の松材が用いられ、その木理方向を中芯材２１の木理方向と略平行に接着される。このように中芯材２１と化粧板２２の木理方向を平行に接着すると、むくの響板と同様に繊維方向とそれに直交する方向（Ｒ方向）の異方性が明確になり、弾性波伝播速度（ＥL ／γ）1/2 および内部損失ｔａｎδL を表１に示すようにシトカスプルース材からなる響板と同等な値とすることができる。
【００１４】
ピアノの音質を決定する因子として響板の曲げ剛性が特に重要であり（実用上は、Ｌ方向またはＲ方向の梁の曲げ剛性ＥLＩまたはＥRＩで代用してかまわない。ここで、ＥL ，ＥR はそれぞれＬ方向、Ｒ方向の動的ヤング率、Ｉは断面二次モーメントである）、響板２０の板厚としては、スプルース材からなる響板と曲げ剛性（ＥLＩ またはＥRＩ ）が同じ程度になるように決定されることが望ましい。例として、中芯材２１の板板厚を９ｍｍ、化粧板２２の板厚を０．５ｍｍとすると、音響特性が良好な響板を実現できる。
なお、中芯材２１と化粧板２２からなる積層材の曲げ剛性ＥＩは、中芯材２１の曲げ剛性をＥ1 Ｉ1 、化粧板２２の曲げ剛性をＥ2 Ｉ2 とすると、ＥＩ＝Ｅ1 Ｉ1 ＋Ｅ2 Ｉ2 として見積もることができる。
【００１５】
このような構造からなる響板２０にあっては、中芯材２１がファルカタ材であり、その表裏面にスプルース材などの松材からなる化粧板２２を木理方向を略一致させて接着したので、従来のスプルース材からなる響板と同程度で、芯材がラワン材からなる響板よりも優れた音響特性を有する響板を実現することができる。また、ファルカタ材は、資源的に問題がなく、スプルース材の代替材料として安価にしかも容易に入手することができる。
【００１６】
【発明の効果】
以上説明したように本発明に係るピアノの響板は、中芯材が複数のファルカタ材の単板でなり、該中芯材の表裏面に化粧板を接着して構成したので、安価にまた容易に入手することができる。また、パルプ用材として用いられているファルカタ材は、弾性波伝播速度と内部損失がスプルース材並の値であるため、音響特性上何等問題がなく、響板用に転用することができる。
また、本発明は、中芯材と化粧板の木理方向を略平行にしてあるので、繊維方向とそれと直交する方向との異方性が明確で、むくの響板が有しているような異方性をもたせることができる。その結果、響板としての弾性波伝播速度と内部損失がスプルース材からなる従来の響板と同程度となり、音響特性の優れた響板を提供することができる。
【図面の簡単な説明】
【図１】  本発明に係るピアノの響板の一実施の形態を示す一部を破断した正面図である。
【図２】  同響板の断面図である。
【図３】  従来のアップライトの響板を示す斜視図である。
【図４】  （ａ）は従来の積層合板からなる響板の一部を破断した正面図、（ｂ）は断面図である。
【図５】  （ａ）は従来の他の積層合板からなる響板の一部を破断した正面図、（ｂ）は断面図である。
【符号の説明】
１…響板、２…長駒、３…短駒、４…響棒、５…支柱本体、６大土台、８…合板、９…化粧板、１０…芯材、２０…響板、２１…中芯材、２２…化粧板。
【図１】
0004055962.tif 000003
【図２】
0004055962.tif 000004
【図３】
0004055962.tif 000005
【図４】
0004055962.tif 000006
【図５】
0004055962.tif 000007